(57)【要約】【課題】顔を撮影するとともに、生体認証情報を取得する。【解決手段】利用者が撮影ＳＷを押下することにより、カメラ１２により顔写真の撮影が行われる。カメラ１２による顔写真の撮影と略同時に、ＢＭデータ取得装置１４により、ＢＭデータが取得される。また、入力装置１５から個人情報及びパスワード情報が入力される。顔画像データ、ＢＭデータ、個人情報及びパスワード情報は、関連付けられて記憶部１７に記憶される。そして、これらのデータが暗号化され、関連付けられた状態でネットワークＮを介して管理装置３０へ送信される。【選択図】図１
2005149275.tif 000002
【特許請求の範囲】
【請求項１】
利用者の顔を撮影して顔画像情報を生成する撮影手段と、
前記利用者から生体認証情報を取得する生体認証情報取得手段と、
前記顔画像情報と前記生体認証情報とを関連付けて記憶する記憶手段と、
を備えたことを特徴とする顔写真撮影装置。
【請求項２】
請求項１に記載の顔写真撮影装置において、
前記生体認証情報取得手段は、前記撮影手段による撮影と略同時に生体認証情報を取得することを特徴とする顔写真撮影装置。
【請求項３】
請求項１又は２に記載の顔写真撮影装置において、
前記生体認証情報に、当該生体認証情報を取得した顔写真撮影装置に固有の識別情報を付帯させる付帯手段を備えたことを特徴とする顔写真撮影装置。
【請求項４】
請求項１〜３のいずれか一項に記載の顔写真撮影装置において、
前記利用者の個人情報を入力する個人情報入力手段を備え、
前記記憶手段は、前記入力された個人情報を前記顔画像情報及び前記生体認証情報と関連付けて記憶することを特徴とする顔写真撮影装置。
【請求項５】
請求項１〜４のいずれか一項に記載の顔写真撮影装置において、
前記利用者の認証のためのパスワード情報を入力するパスワード入力手段を備え、
前記記憶手段は、前記入力されたパスワード情報を前記顔画像情報及び前記生体認証情報と関連付けて記憶することを特徴とする顔写真撮影装置。
【請求項６】
請求項１〜５のいずれか一項に記載の顔写真撮影装置において、
前記利用者のサイン情報を入力するサイン入力手段を備え、
前記記憶手段は、前記入力されたサイン情報を前記顔画像情報及び前記生体認証情報と関連付けて記憶することを特徴とする顔写真撮影装置。
【請求項７】
請求項１〜６のいずれか一項に記載の顔写真撮影装置において、
前記記憶手段に記憶されているデータを保護するためのセキュリティ手段を備えたことを特徴とする顔写真撮影装置。
【請求項８】
請求項１〜７のいずれか一項に記載の顔写真撮影装置において、
前記記憶手段に記憶されているデータを印刷用紙に印刷する印刷手段を備えたことを特徴とする顔写真撮影装置。
【請求項９】
請求項８に記載の顔写真撮影装置において、
前記生体認証情報取得手段により再び前記利用者から取得された新たな生体認証情報と、前記記憶手段に記憶されている生体認証情報とを照合する照合手段と、
前記新たな生体認証情報と、前記記憶手段に記憶されている生体認証情報とが一致する場合に、前記印刷された印刷用紙を排出するように制御する制御手段と、
を備えたことを特徴とする顔写真撮影装置。
【請求項１０】
請求項１〜９のいずれか一項に記載の顔写真撮影装置において、
前記記憶手段は、前記顔写真撮影装置に対して着脱可能な記憶媒体であることを特徴とする顔写真撮影装置。
【請求項１１】
請求項１〜１０のいずれか一項に記載の顔写真撮影装置と、
前記顔写真撮影装置を管理する管理装置と、
が通信ネットワークを介して接続された顔写真処理システムであって、
前記顔写真撮影装置は、前記記憶手段に記憶されているデータを前記管理装置へ送信する通信手段を備え、
前記管理装置は、前記送信されたデータを記憶する記憶手段を備えたことを特徴とする顔写真処理システム。
【発明の詳細な説明】
【技術分野】
【０００１】
本発明は、利用者の顔写真を撮影する顔写真撮影装置及び顔写真処理システムに関する。
【背景技術】
【０００２】
近年、各種団体の会員証や社員証、各種免許証等の身分証として、ＩＣメモリ内蔵のＩＤカードが普及してきている。このＩＤカードには、顔写真や個人情報（ＩＤ番号、住所、氏名、年齢、及び所属等）がカードの表面に直接印刷されるとともに、カードに内蔵されているＩＣメモリにデジタルデータ化した個人情報が記録されている。
【０００３】
また、免許証やパスポート、顔写真が印刷されたクレジットカード等の発行を申請する際には、申請書に写真を貼付する場合が多い。このような証明写真を撮影するために、ボックス型の顔写真撮影装置が街頭や駅構内等、利用者が利用しやすい場所に設置されている。例えば、複数回撮影を行って得られた複数の画像を同一記録媒体上にプリントする証明写真撮影装置や、装置に表示される撮影操作案内手順を選択可能な撮影装置が提案されている（例えば、特許文献１、２参照。）。
【特許文献１】特開２０００−２９１０号公報
【特許文献２】特開２００３−２０７８４０号公報
【発明の開示】
【発明が解決しようとする課題】
【０００４】
しかし、従来の顔写真撮影装置は、写真を撮影する機能を有するのみであった。例えば、各種ＩＤカードに用いられる顔写真においては、顔写真と本人とが一致するか否かが問題となる。本人認証を行うための技術として、指紋や虹彩等を用いた生体認証技術（Biometrics）が普及してきており、ＩＤカードにおける本人照合にも利用されている。このような背景から、顔写真撮影装置において、生体認証情報を取得することが望まれる。
【０００５】
本発明は、顔を撮影するとともに、生体認証情報を取得することができる顔写真撮影装置及び顔写真処理システムを提供することを課題とする。
【課題を解決するための手段】
【０００６】
請求項１に記載の発明は、利用者の顔を撮影して顔画像情報を生成する撮影手段と、前記利用者から生体認証情報を取得する生体認証情報取得手段と、前記顔画像情報と前記生体認証情報とを関連付けて記憶する記憶手段と、を備えたことを特徴としている。
【０００７】
請求項２に記載の発明は、請求項１に記載の顔写真撮影装置において、前記生体認証情報取得手段は、前記撮影手段による撮影と略同時に生体認証情報を取得することを特徴としている。
【０００８】
請求項３に記載の発明は、請求項１又は２に記載の顔写真撮影装置において、前記生体認証情報に、当該生体認証情報を取得した顔写真撮影装置に固有の識別情報を付帯させる付帯手段を備えたことを特徴としている。
【０００９】
請求項４に記載の発明は、請求項１〜３のいずれか一項に記載の顔写真撮影装置において、前記利用者の個人情報を入力する個人情報入力手段を備え、前記記憶手段は、前記入力された個人情報を前記顔画像情報及び前記生体認証情報と関連付けて記憶することを特徴としている。
【００１０】
請求項５に記載の発明は、請求項１〜４のいずれか一項に記載の顔写真撮影装置において、前記利用者の認証のためのパスワード情報を入力するパスワード入力手段を備え、前記記憶手段は、前記入力されたパスワード情報を前記顔画像情報及び前記生体認証情報と関連付けて記憶することを特徴としている。
【００１１】
請求項６に記載の発明は、請求項１〜５のいずれか一項に記載の顔写真撮影装置において、前記利用者のサイン情報を入力するサイン入力手段を備え、前記記憶手段は、前記入力されたサイン情報を前記顔画像情報及び前記生体認証情報と関連付けて記憶することを特徴としている。
【００１２】
請求項７に記載の発明は、請求項１〜６のいずれか一項に記載の顔写真撮影装置において、前記記憶手段に記憶されているデータを保護するためのセキュリティ手段を備えたことを特徴としている。
【００１３】
請求項８に記載の発明は、請求項１〜７のいずれか一項に記載の顔写真撮影装置において、前記記憶手段に記憶されているデータを印刷用紙に印刷する印刷手段を備えたことを特徴としている。
【００１４】
請求項９に記載の発明は、請求項８に記載の顔写真撮影装置において、前記生体認証情報取得手段により再び前記利用者から取得された新たな生体認証情報と、前記記憶手段に記憶されている生体認証情報とを照合する照合手段と、前記新たな生体認証情報と、前記記憶手段に記憶されている生体認証情報とが一致する場合に、前記印刷された印刷用紙を排出するように制御する制御手段と、を備えたことを特徴としている。
【００１５】
請求項１０に記載の発明は、請求項１〜９のいずれか一項に記載の顔写真撮影装置において、前記記憶手段は、前記顔写真撮影装置に対して着脱可能な記憶媒体であることを特徴としている。
【００１６】
請求項１１に記載の発明は、請求項１〜１０のいずれか一項に記載の顔写真撮影装置と、前記顔写真撮影装置を管理する管理装置と、が通信ネットワークを介して接続された顔写真処理システムであって、前記顔写真撮影装置は、前記記憶手段に記憶されているデータを前記管理装置へ送信する通信手段を備え、前記管理装置は、前記送信されたデータを記憶する記憶手段を備えたことを特徴としている。
【発明の効果】
【００１７】
請求項１に記載の発明によれば、利用者の顔を撮影するとともに、生体認証情報を取得することができ、顔画像情報と生体認証情報とを関連付けて記憶することができる。
【００１８】
請求項２に記載の発明によれば、撮影手段による撮影と略同時に生体認証情報を取得するので、顔を撮影される人物と異なる人物の生体認証情報を取得することを防ぐことができる。また、写真撮影及び生体認証情報の取得に要する時間を最小限に抑えることができる。
【００１９】
請求項３に記載の発明によれば、生体認証情報に、生体認証情報を取得した顔写真撮影装置に固有の識別情報を付帯させるので、生体認証情報を取得した顔写真撮影装置を特定することができる。
【００２０】
請求項４に記載の発明によれば、利用者の個人情報を顔画像情報及び生体認証情報と関連付けて記憶することができる。
【００２１】
請求項５に記載の発明によれば、パスワード情報を顔画像情報及び生体認証情報と関連付けて記憶することができる。
【００２２】
請求項６に記載の発明によれば、サイン情報を顔画像情報及び生体認証情報と関連付けて記憶することができる。
【００２３】
請求項７に記載の発明によれば、記憶手段に記憶されているデータを保護することができる。
【００２４】
請求項８に記載の発明によれば、記憶手段に記憶されているデータを印刷用紙に印刷することができる。
【００２５】
請求項９に記載の発明によれば、新たな生体認証情報と、記憶手段に記憶されている生体認証情報とが一致する場合に、印刷された印刷用紙を排出するので、利用者本人であることを確認した後に印刷用紙を排出することができる。
【００２６】
請求項１０に記載の発明によれば、記憶手段は、顔写真撮影装置に対して着脱可能な記憶媒体であるので、この記憶媒体に記憶されたデータを持ち運ぶことができる。
【００２７】
請求項１１に記載の発明によれば、顔写真撮影装置の記憶手段に記憶されているデータを、通信ネットワークを介して管理装置へ送信し、管理装置の記憶手段にデータを記憶することができる。
【発明を実施するための最良の形態】
【００２８】
以下、図１及び図２を参照して本発明の実施の形態を詳細に説明する。ただし、発明の範囲は図示例に限定されない。
図１に、本実施の形態における顔写真処理システム１のシステム構成を示す。
図１に示すように、顔写真処理システム１は、顔写真撮影装置１０と、管理装置３０とがネットワークＮを介して接続されて構成されている。図１では、顔写真撮影装置１０を１つ図示しているが、実際には、複数の顔写真撮影装置１０がネットワークＮを介して管理装置３０に接続されているものとする。
【００２９】
顔写真撮影装置１０は、ボックス型の筐体を備えて構成され、街頭や駅構内等、利用者が利用しやすい各地に設置されている。
顔写真撮影装置１０は、制御部１１、カメラ１２、検知センサ１３、ＢＭデータ取得装置１４、入力装置１５、表示装置１６、記憶部１７、プリンタ１８、ストロボ１９、スピーカー２０、キャッシャー２１、通信装置２２、Ｉ／Ｏユニット２３等を備える。
【００３０】
制御部１１は、図示しないＣＰＵ（Central Processing Unit）やＲＯＭ（Read Only Memory）、ＲＡＭ（Random Access Memory）等から構成され、顔写真撮影装置１０の各部を統括的に制御する。ＣＰＵは、入力装置１５から入力される各種指示に従って、ＲＯＭに記憶されている各種プログラムの中から指定されたプログラムをＲＡＭのワークエリアに展開し、上記プログラムとの協働によって各種処理を実行し、その処理結果をＲＡＭの所定の領域に格納する。
【００３１】
例えば、制御部１１は、ＢＭデータ取得装置１４によって取得される生体認証情報（Biometrics Data；以下、「ＢＭデータ」という。）のヘッダに、ＢＭデータを取得した顔写真撮影装置１０に固有の識別情報を付帯させる。
【００３２】
また、制御部１１は、記憶部１７に記憶されているデータを暗号化する。すなわち、制御部１１は、データを保護するためのセキュリティ手段としての機能を有する。
【００３３】
カメラ１２は、光学レンズ、ＣＣＤ（Charge Coupled Device）等の光学センサ、Ａ／Ｄ変換器等から構成され、光学レンズを介して入力される利用者の顔を撮影して顔画像情報（以下、「顔画像データ」という。）を生成する。
【００３４】
検知センサ１３は、顔写真撮影装置１０内に利用者が入ったことを検知して、その検知信号を制御部１１に出力する。
【００３５】
ＢＭデータ取得装置１４は、例えば、利用者の指紋、虹彩、手の甲の静脈パターン、掌紋、顔の特徴、声紋、あるいは、遺伝子情報等のＢＭデータを取得する装置である。なお、本実施の形態においては、ＢＭデータ取得装置１４は指紋センサを備え、利用者の指紋をＢＭデータとして取得するものとする。指紋センサは、リニア型ＣＣＤイメージセンサ、リニア型ＣＭＯＳイメージセンサ等の光電変換素子で構成され、センサの受光面に結像された指紋の一次元像を指紋画像データに変換する。ＢＭデータは、この指紋画像データであってもよいし、所定のアルゴリズムに従って抽出された特徴点データであってもよい。特徴点データとは、例えば指紋の場合には、各指紋画像の相違点が比較的明確な、指紋の頂点の位置や数等を示すデータをいう。特徴点データを用いることにより、指紋画像データそのものを用いる場合と比較して、本人認証を容易かつ迅速に行うことができる。
【００３６】
入力装置１５は、数字キー、写真種選択ＳＷ（Switch）、撮影ＳＷ、プリントＳＷ、各種機能キーを備えて構成され、各キー及びＳＷ操作による押下信号を制御部１１に出力する。なお、入力装置１５は、表示装置１６と一体に構成されるタッチパネルや、その他の入力装置を備えることとしてもよい。
【００３７】
表示装置１６は、ＣＲＴ（Cathode Ray Tube）やＬＣＤ（Liquid Crystal Display）等からなる表示画面を備え、制御部１１の制御に応じて、表示情報を表示する。
【００３８】
記憶部１７は、カメラ１２により撮影された顔画像データ、ＢＭデータ取得装置１４により取得されたＢＭデータ、入力装置１５から入力された個人情報及びパスワード情報を関連付けて記憶する。個人情報とは、利用者の住所、氏名、年齢、ＩＤ番号等の情報をいう。パスワード情報とは、利用者自身が設定する認証のためのパスワードをいう。
【００３９】
プリンタ１８は、印刷装置等を備え、記憶部１７に記憶されている個人情報等を印刷用紙に印刷する。必要に応じて、顔画像データに基づいて顔写真を印刷することとしてもよい。プリンタ１８により印刷された書類は、後述する利用者登録申請処理の利用者控え（申請書）として利用される。
【００４０】
ストロボ１９は、撮影ＳＷが押下される際に、瞬間的に光を発し、撮影に充分な光量になるよう調節する。
【００４１】
スピーカー２０は、電気信号を音波に変換して出力する音声出力装置である。スピーカー２０は、顔写真撮影装置１０における音声案内を出力する。
【００４２】
キャッシャー２１は、硬貨や紙幣の入金口、釣り銭返金口等を備えた料金精算機であり、入金口から入金された金額の情報を制御部１１に出力し、制御部１１から指示された金額の硬貨又は紙幣を釣り銭返金口に排出する。
【００４３】
通信装置２２は、モデム又はターミナルアダプタ等によって構成され、ネットワークＮを介して管理装置３０とデータ通信を行う。
【００４４】
Ｉ／Ｏユニット２３は、制御部１１と、ストロボ１９、スピーカー２０、キャッシャー２１とを接続し、各種信号の入出力を行う。
【００４５】
管理装置３０は、データベース（Database；以下、「ＤＢ」という。）３１を備えて構成され、ネットワークＮを介して顔写真撮影装置１０を管理する。管理装置３０は、顔写真撮影装置１０から送信される顔画像データ、ＢＭデータ、個人情報、パスワード情報等を関連付けてＤＢ３１に格納させる。
【００４６】
ＤＢ３１は、顔写真撮影装置１０から送信された各データ（顔画像データ、ＢＭデータ、個人情報、パスワード情報等）を関連付けて記憶する。
【００４７】
ネットワークＮは、ＬＡＮ（Local Area Network）、ＷＡＮ（Wide Area Network）、インターネットを含めてもよく、電話回線網、ＩＳＤＮ（Integrated Services Digital Network）回線網、ＡＤＳＬ（Asymmetric Digital Subscriber Line）回線網、移動体通信網、通信衛星回線、ＣＡＴＶ回線、光通信回線、無線通信回線等を含む構成でもよい。例えば、ＰＨＳ（Personal Handyphone System）により、顔写真撮影装置１０と管理装置３０とのデータの送受信を行う。
【００４８】
次に、顔写真処理システム１の顔写真撮影装置１０における動作について説明する。
図２は、顔写真撮影装置１０において実行される利用者登録申請処理を説明するフローチャートである。利用者登録申請処理は、例えば、ＩＤカードの発行を申請する際に行われる処理である。
【００４９】
まず、顔写真撮影装置１０内に利用者が入ると、検知センサ１３により利用者が検知され（ステップＳ１）、表示装置１６に案内画面が表示される（ステップＳ２）。同時に、スピーカー２０により音声案内が出力される。以下の動作においても同様に、各処理毎に、スピーカー２０から音声案内が出力されることとしてもよい。
【００５０】
利用者がキャッシャー２１の入金口に料金を投入すると（ステップＳ３）、入金された金額が判断される（ステップＳ４）。次に、利用者が撮影を希望する写真種を選択するための写真種選択ＳＷを押下すると（ステップＳ５）、キャッシャー２１により、選択された写真種に応じて料金の精算が行われ、釣り銭が排出される（ステップＳ６）。
【００５１】
次に、利用者が撮影ＳＷを押下すると（ステップＳ７）、ストロボ１９が照射され、カメラ１２により顔写真の撮影が行われ、顔画像データが生成される（ステップＳ８）。ここで、顔画像データのチェックが行われる（ステップＳ９）。例えば、顔が横を向いていないか、顔の大きさ及び位置（画像の外枠から顔までの距離等）は規格内であるか、等が判断される。顔画像データが顔写真処理システム１において利用可能なデータではないと判断された場合には（ステップＳ９；ＮＧ）、表示装置１６に再撮影の要求を示す画面が表示され、再び撮影が行われる。
【００５２】
顔画像データが顔写真処理システム１において利用可能なデータであると判断された場合には（ステップＳ９；ＯＫ）、顔画像データが記憶部１７に保存される（ステップＳ１０）。次に、入力装置１５から個人情報及びパスワード情報が入力され（ステップＳ１１）、顔画像データと関連付けられて記憶部１７に保存される（ステップＳ１２）。
【００５３】
利用者がプリントＳＷを押下すると（ステップＳ１３）、プリンタ１８により、個人情報及び顔写真が印刷用紙に印刷される（ステップＳ１４）。そして、印刷された申請書が排出され（ステップＳ１５）、利用者はプリント出力された申請書を受け取る（ステップＳ１６）。
【００５４】
ステップＳ１５において、利用者から再度ＢＭデータを取得し、記憶部１７に記憶されているＢＭデータと比較照合して認証が成功した場合にのみ、申請書を排出するようにしてもよい。この場合、確実に利用者本人が申請書を受け取ることができる。
【００５５】
カメラ１２による顔写真の撮影と略同時に、ＢＭデータ取得装置１４により、ＢＭデータが取得される（ステップＳ１７）。ＢＭデータのヘッダには、ＢＭデータを取得した顔写真撮影装置１０に固有の識別情報が付帯される（ステップＳ１８）。ここで、取得されたＢＭデータのチェックが行われる（ステップＳ１９）。取得されたＢＭデータが顔写真処理システム１において利用可能なデータではないと判断された場合には（ステップＳ１９；ＮＧ）、表示装置１６にＢＭデータの再取得の要求を示す画面が表示され、再びＢＭデータの取得が行われる。
【００５６】
ＢＭデータが顔写真処理システム１において利用可能なデータであると判断された場合には（ステップＳ１９；ＯＫ）、ＢＭデータが顔画像データと関連付けられて記憶部１７に保存される（ステップＳ２０）。
【００５７】
そして、顔画像データ、ＢＭデータ、個人情報及びパスワード情報が暗号化され（ステップＳ２１）、これらのデータが関連付けられた状態でネットワークＮを介して管理装置３０へ送信される（ステップＳ２２）。管理装置３０に送信されたデータは、ＤＢ３１に記憶される。
以上で、利用者登録申請処理が終了する。
【００５８】
例えば、顔写真撮影装置１０において、ＩＤカードの発行の申請が行われる場合には、ＤＢ３１に記憶されているデータに基づいて、ＩＤカードの発行が行われる。具体的には、カード面に顔写真や個人情報が印刷され、カードに内蔵されているＩＣメモリにＢＭデータや個人情報、パスワード情報が記録される。ＩＤカードを使用する際には、ＩＣメモリに記録されているＢＭデータと、ＩＤカードの所有者から取得したＢＭデータとを比較照合することにより、登録されている利用者本人であるという認証が行われる。
【００５９】
したがって、顔写真処理システム１によれば、利用者の顔を撮影して顔画像データを生成するとともに、ＢＭデータを取得することができる。そして、顔画像データ、ＢＭデータ、個人情報及びパスワード情報を関連付けて記憶することができる。
【００６０】
また、写真撮影と略同時にＢＭデータを取得するので、顔を撮影される人物と異なる人物のＢＭデータを取得することを防ぐことができる。これにより、顔写真撮影時又はＢＭデータ取得時の他人による「なりすまし」を防止することができる。また、写真撮影時には、環境や利用者の姿勢が、ある程度一定に保たれているので、ＢＭデータの精度向上を図ることができる。特に、ＢＭデータとして、虹彩や顔の特徴点データを取得する装置と、撮影装置とを連動させる場合にこれらの効果が期待できる。
【００６１】
また、写真撮影及びＢＭデータの取得に要する時間を最小限に抑えることができるので、利用者の負担を軽減させることができる。さらに、ＢＭデータとして、虹彩や顔の特徴点データを取得する場合には、利用者に認識されることなく、ＢＭデータを取得することができる。装置の操作指示を音声入力によって行い、ＢＭデータとして、音声データを取得する場合にも、同様に、利用者に認識されることなく、ＢＭデータを取得することができる。
【００６２】
また、ＢＭデータのヘッダには、ＢＭデータを取得した顔写真撮影装置１０に固有の識別情報が付帯されるので、ＢＭデータを取得した顔写真撮影装置１０を特定することができる。例えば、後に、ＢＭデータが記録されたＩＤカードによって本人認証を行う際に、認証の失敗の原因が、ＢＭデータを取得した顔写真撮影装置１０に起因するものか、ＩＤカード保有者に起因するものかを判別することができる。
【００６３】
なお、上記実施の形態における記述は、本発明に係る好適な顔写真処理システムの例であり、これに限定されるものではない。顔写真処理システムを構成する各部の細部構成及び細部動作に関しても本発明の趣旨を逸脱することのない範囲で適宜変更可能である。
【００６４】
例えば、顔写真撮影装置１０が、利用者の氏名等のサイン情報を入力するサイン入力手段を備え、サイン情報を顔画像データ及びＢＭデータと関連付けて管理装置３０に送信することとしてもよい。サイン情報を取得する方法として、シート状のセンサ上にサインを記入してデジタルデータとして取得する方法や、紙に書かれたサインをスキャナで読み取る方法等がある。
【００６５】
また、顔写真撮影装置１０により取得された顔画像データ、ＢＭデータ、個人情報、パスワード情報等の各データを、ネットワークＮを介して管理装置３０に送信するのではなく、記憶部１７がＭＯ（Magneto-Optical disk）等の着脱可能な記憶媒体として構成されていることとしてもよい。例えば、顔写真撮影装置１０内の施錠可能なボックスにＭＯ等の着脱可能な記憶媒体が格納され、管理者がボックスから記憶媒体を取り出すことにより、記憶媒体に記憶されたデータを持ち運ぶことができる。各地に設置された顔写真撮影装置１０から、データが保存されている記憶媒体を回収し、データを管理装置３０に登録することにより、上記実施の形態と同様の効果が得られる。
【００６６】
また、上記実施の形態では、データを暗号化して送信することにより、データを保護することとしたが、データに対してアクセスが行われた場合、又は、データが更新された場合にヘッダ等に履歴を残すようにして、データの漏洩及び改ざんを防止することとしてもよい。
【図面の簡単な説明】
【００６７】
【図１】本発明の実施の形態における顔写真処理システム１のシステム構成を示すブロック図である。
【図２】顔写真撮影装置１０において実行される利用者登録申請処理を説明するフローチャートである。
【符号の説明】
【００６８】
１  顔写真処理システム
１０  顔写真撮影装置
１１  制御部
１２  カメラ
１３  検知センサ
１４  ＢＭデータ取得装置
１５  入力装置
１６  表示装置
１７  記憶部
１８  プリンタ
１９  ストロボ
２０  スピーカー
２１  キャッシャー
２２  通信装置
２３  Ｉ／Ｏユニット
３０  管理装置
３１  ＤＢ
Ｎ  ネットワーク
【図１】
2005149275.tif 000003
【図２】
2005149275.tif 000004